(57)【要約】【課題】  簡単な構成で、アンダーカット部を有しており非意匠面と意匠面とが形成された成形品を適切に成形することができる成形型などを提供する。【解決手段】  成形型２は、第１固定型２１と、第２固定型２２と、可動型２３と、スライドコア２４と、を備えている。可動型２３は、非意匠面構成層１１を保持して第１固定型２１から取り出し第２固定型２２に収容し得るよう構成され、第１固定型２１は、非意匠面構成層１１を、アンダーカット部１ａ以外の部分の形状と対応した形状に成形するよう構成され、第２固定型２２は、意匠面Ｆ２の外形形状を全面にわたって成形するよう構成されており、スライドコア２４は、第２固定型２２に向かって突出して意匠面構成層１２にアンダーカット部１ａを形成するよう構成されている。【選択図】    図４
2006116777.tif 000002
【特許請求の範囲】
【請求項１】
アンダーカット部を有しており非意匠面と意匠面とが形成された成形品を成形する成形型であって、
非意匠面を含む非意匠面構成層を成形するための非意匠面構成層成形型と、
非意匠面構成層に意匠面を含む意匠面構成層を積層成形するための意匠面構成層成形型と、
非意匠面構成層成形型および意匠面構成層成形型と相対的に開閉可能に設けられた共通成形型と、
共通成形型のアンダーカット部と対応する位置に型開閉方向と異なる方向に進退移動可能に設けられたスライドコアと、
を備えており、
共通成形型は、非意匠面構成層成形型により成形された非意匠面構成層を保持して非意匠面構成層成形型から取り出し意匠面構成層成形型に収容し得るよう構成されており、
非意匠面構成層成形型は、非意匠面構成層を、成形品のアンダーカット部以外の形状と対応した形状に成形するよう構成されており、
意匠面構成層成形型は、意匠面の外形形状を全面にわたって成形するよう構成されており、
スライドコアは、意匠面構成層成形型に向かって突出して意匠面構成層にアンダーカット部を形成するよう構成されていることを特徴とする成形型。
【請求項２】
アンダーカット部を有しており非意匠面と意匠面とが形成された成形品を成形する成形方法であって、
非意匠面を含む非意匠面構成層を成形するための非意匠面構成層成形型と、非意匠面構成層に意匠面を含む意匠面構成層を積層成形するための意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えてなる成形型を用意し，
非意匠面構成層成形型と共通成形型とを相対的に型閉じして、成形品のアンダーカット部以外の形状と対応した形状の非意匠面構成層を成形し、
非意匠面構成層を共通成形型に保持した状態で、共通成形型を非意匠面構成層成形型に対して相対的に型開きし、
非意匠面構成層を保持した状態の共通成形型を意匠面構成層成形型に対して相対的に型閉じし、
意匠面構成層のアンダーカット部と対応する位置にスライドコアを突出させて、アンダーカット部が形成された意匠面構成層を非意匠面構成層に積層成形することを特徴とする成形方法。
【請求項３】
アンダーカット部を有しており非意匠面構成層と意匠面構成層とを積層成形してなる成形品であって、
非意匠面構成層は、成形品のアンダーカット部以外の形状と対応する形状に成形されており、意匠面構成層のみにアンダーカット部が成形されていることを特徴とする成形品。
【請求項４】
非意匠面構成層から意匠面構成層が露出している部分を覆うカバーを設けたことを特徴とする請求項３に記載の成形品。
【発明の詳細な説明】
【技術分野】
【０００１】
本発明は、成形型、成形方法、および成形品に関し、特に、アンダーカット部を有しており非意匠面構成層と意匠面構成層とを含む成形品、このような成形品を成形するための成形型、および成形方法に関するものである。
【背景技術】
【０００２】
非意匠面構成層と意匠面構成層とを含む多層により構成されアンダーカット部を有する成形品を成形するために、特許文献１などに開示されているように、一次成形体を成形するための第１固定型と、二次成形体を成形するための第２固定型と、第１固定型と第２固定型とにそれぞれ相対向するように移動されて共通して開閉される可動型と、アンダーカット部を成形するためのスライドコアと、を備えた成形型が一般に使用される。
特許文献１には、可動型と、該可動型と共に一次成形体を形成する第１固定型と、該可動型とともに該一次成形体と隣接する二次成形体を形成する第２固定型と、型開き方向と交差する方向へ移動自在に該可動型に摺接し該一次成形体のアンダーカット部を形成するスライドコアと、該可動型に近接する方向および遠ざかる方向に駆動される第１押出し板と、該第１押出し板と該可動型との間に介在し該第１押出し板からの押圧力により該可動型に近接する方向および遠ざかる方向に駆動される第２押出し板と、一端が該第１押出し板に固定され該第１押出し板の駆動方向に延びる軸部と該軸部の他端から該軸部の軸方向に対して傾斜して延びる頭部とよりなり該スライドコアと係合してスライド移動させるカムと、一端が該第２押出し板に固定され該第２押出し板の駆動により他端が該可動型の型面から突出する押出しピンと、よりなり、前記一次成形体および前記第二成形体が形成され前記第２固定型と前記可動型とが型開きされた後に前記第１押出し板が駆動され次いで前記第２押出し板が駆動される構成としたことを特徴とする２色成形用金型が開示されている。すなわち、この特許文献１では、一次成形体のみにアンダーカット部を形成し、この一次成形体のアンダーカット部に影響されない位置にアンダーカット部を有しない二次成形体を平板状に積層成形する。
また、一般にアンダーカット部を有する成形品を成形する場合には、第１固定型と可動型を型閉じしてアンダーカット部となる部分を有する一方の構成層（一次成形体）を成形し、この一方の構成層を可動型に保持させて第１固定型から離型させ、第２固定型と型閉じして一方の構成層に他方の構成層（二次成形体）を積層成形して、各構成層にアンダーカット部となる部分を有する成形品を成形することが従来から行われている。そして、このような方法に適用される従来の成形型では、一般に、第１固定型と第２固定型に共通して可動型を開閉させるため、可動型だけでなく、第１固定型と第２固定型は、それぞれアンダーカット部を形成するためのスライドコアが設けられた分割構造とされている。すなわち、このような成形型では、可動型を第１固定型と型開きするときには、可動型に保持された一方の構成層のアンダーカット部となる部分が第１固定型に干渉するのを回避するために第１固定型のスライドコアを後退させ、また、一方の構成層を保持した可動型を第２固定型に型閉じするときには、可動型に保持された一方の構成層のアンダーカット部となる部分が第２固定型に干渉するのを回避するために第２固定型のスライドコアを後退させる。
【０００３】
【特許文献１】実公平５‐３３３０９号公報
【発明の開示】
【発明が解決しようとする課題】
【０００４】
しかしながら、上記一般的な従来の技術のように、一方の構成層を保持した可動型が第１固定から型開きするとともに第２固定型と型閉じすることができるようにするために、第１固定型と第２固定型をそれぞれ分割構造としてスライドコアを設ける必要があるために構造が複雑となり、また、両固定型のスライドコアの移動を制御しなければならず、制御が煩雑となるなどの問題があった。さらに、上記一般的な従来の技術あっては、スライドコアにより分割線（パーティングライン）が形成されて見栄えが悪くなるため、成形品の特に意匠面構成層の意匠面を形成するための意匠面構成層成形型にはスライドコアを設けることができないなど、型干渉を回避するために必要なスライドコアを設ける位置が限定されることから、成形型の構成自由度が制限されるという問題があった。
【０００５】
本発明は、上述した問題に鑑みてなされたもので、簡単な構成で、アンダーカット部を有しており非意匠面と意匠面とが形成された成形品を適切に成形することができる成形型および成形方法を提供すると共に、アンダーカット部を有しており、非意匠面構成層と意匠面構成層とを含む複数層により積層成形された構造を有する成形品を提供することを目的とする。
【課題を解決するための手段】
【０００６】
請求項１の成形型に係る発明は、上記目的を達成するため、アンダーカット部を有しており非意匠面と意匠面とが形成された成形品を成形する成形型であって、非意匠面を含む非意匠面構成層を成形するための非意匠面構成層成形型と、非意匠面構成層に意匠面を含む意匠面構成層を積層成形するための意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えており、共通成形型は、非意匠面構成層成形型により成形された非意匠面構成層を保持して非意匠面構成層成形型から取り出し意匠面構成層成形型に収容し得るよう構成されており、非意匠面構成層成形型は、非意匠面構成層を、成形品のアンダーカット部以外の形状と対応した形状に成形するよう構成されており、意匠面構成層成形型は、意匠面の外形形状を全面にわたって成形するよう構成されており、スライドコアは、意匠面構成層成形型に向かって突出して意匠面構成層にアンダーカット部を形成するよう構成されていることを特徴とするものである。
請求項２の成形方法に係る発明は、上記目的を達成するため、アンダーカット部を有しており非意匠面と意匠面とが形成された成形品を成形する成形方法であって、非意匠面を含む非意匠面構成層を成形するための非意匠面構成層成形型と、非意匠面構成層に意匠面を含む意匠面構成層を積層成形するための意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えてなる成形型を用意し，非意匠面構成層成形型と共通成形型とを相対的に型閉じして、成形品のアンダーカット部以外の形状と対応した形状の非意匠面構成層を成形し、非意匠面構成層を共通成形型に保持した状態で、共通成形型を非意匠面構成層成形型に対して相対的に型開きし、非意匠面構成層を保持した状態の共通成形型を意匠面構成層成形型に対して相対的に型閉じし、意匠面構成層ののアンダーカット部と対応する位置にスライドコアを突出させて、アンダーカット部が形成された意匠面構成層を非意匠面構成層に積層成形することを特徴とするものである。
請求項３の成形品に係る発明は、上記目的を達成するため、アンダーカット部を有しており非意匠面構成層と意匠面構成層とを積層成形してなる成形品であって、非意匠面構成層は、成形品のアンダーカット部以外の形状と対応する形状に成形されており、意匠面構成層のみにアンダーカット部が成形されていることを特徴とするものである。
請求項４の成形品に係る発明は、上記目的を達成するため、請求項３に記載の発明において、非意匠面構成層から意匠面構成層が露出している部分を覆うカバーを設けたことを特徴とするものである。
【０００７】
請求項１の発明では、非意匠面構成層成形型に対して共通成形型を相対的に近接移動させて型閉じし、内部に形成されたキャビティにより非意匠面構成層を成形する。非意匠面構成層は、非意匠面構成層成形型と共通成形型および必要に応じてスライドコアとにより、成形品のアンダーカット部以外の形状と対応した形状に成形される。非意匠面構成層の成形が完了すると、非意匠面構成層成形型に対して共通成形型を相対的に遠退移動させて型開きする。このとき、非意匠面構成層は、成形品のアンダーカット部以外の形状と対応した形状に成形されているため、型開き時に非意匠面構成層成形型に干渉することなく、共通成形型に保持されて非意匠面構成層成形型から離型される。その後、共通成形型を意匠面構成層成形型と対向させて、非意匠面構成層を保持した状態で共通成形型を意匠面構成層成形型に対して相対的に近接移動させて型閉じする。このとき、非意匠面構成層は、成形品のアンダーカット部以外の形状と対応した形状に成形されているため、型閉じ時に意匠面構成層成形型に干渉することなく、共通成形型に保持されて意匠面構成層成形型に収容される。続いて、共通成形型のスライドコアを、意匠面構成層成形型内の、意匠面構成層のアンダーカット部となる部分に突出させ、この状態で意匠面構成層を非意匠面構成層に積層成形する。意匠面が全面にわたって意匠面構成層成形型によって成形されると共に、スライドコアによって意匠面構成層の非意匠面構成層と対応しない部分のみにアンダーカット部が形成され、他の部分が非意匠面構成層に積層された成形品が成形される。そして、スライドコアが意匠面構成層成形型に設けられておらず共通成形型のみに設けられているため、意匠面にスライドコアによるパーティングラインが形成されることがない。成形品の成形が完了すると、共通成形型のスライドコアを退避させて、共通成形型を意匠面構成層成形型に対して相対的に遠退移動させて型開きする。
請求項２の発明では、アンダーカット部を有しており非意匠面と意匠面とが形成された成形品を成形するに際しては、非意匠面構成層成形型と、意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えてなる成形型を用意し、非意匠面構成層成形型に対して共通成形型を相対的に近接移動させて型閉じし、内部に形成されたキャビティにより非意匠面構成層を成形する。非意匠面構成層は、成形品のアンダーカット部以外の形状と対応した形状に成形される。非意匠面構成層の成形が完了すると、共通成形型に非意匠面構成層を保持した状態で非意匠面構成層成形型に対して共通成形型を相対的に遠退移動させて型開きする。このとき、非意匠面構成層は、成形品のアンダーカット部以外の形状と対応した形状に成形されているため、型開き時に非意匠面構成層成形型に干渉することなく、共通成形型に保持されて非意匠面構成層成形型から離型される。その後、共通成形型を意匠面構成層成形型と対向させて、非意匠面構成層を保持した状態で共通成形型を意匠面構成層成形型に対して相対的に近接移動させて型閉じする。このとき、非意匠面構成層は、成形品のアンダーカット部以外の形状と対応した形状に成形されているため、型閉じ時に意匠面構成層成形型に干渉することなく、共通成形型に保持されて意匠面構成層成形型に収容される。そして、共通成形型に設けられたスライドコアを、意匠面構成層成形型内の、意匠面構成層のアンダーカット部となる部分に突出させ、この状態で意匠面構成層を非意匠面構成層に積層成形する。すると、スライドコアによって意匠面構成層の非意匠面構成層と対応しない部分のみにアンダーカット部が形成され、他の部分が非意匠面構成層に積層された成形品が成形される。そして、スライドコアが意匠面構成層成形型に設けられておらず共通成形型のみに設けられているため、意匠面にスライドコアによるパーティングラインが形成されることがない。成形品の成形が完了すると、共通成形型のスライドコアを退避させて、共通成形型を意匠面構成層成形型に対して相対的に遠退移動させ型開きして、成形品を取り出す。
請求項３の発明では、非意匠面構成層は、成形品のアンダーカット部以外の形状と対応する形状に成形されているために成形が容易で、成形型を干渉することなく開閉することができる構造の成形品が提供される。また、意匠面構成層の非意匠面構成層と対応しない部分のみにアンダーカット部を形成するために、非意匠面構成層に意匠面構成層を積層成形することが容易な構造の成形品が提供される。
請求項４の発明では，請求項３に記載の発明において、非意匠面構成層が成形品のアンダーカット部以外の形状と対応する形状に成形されているために、意匠面構成層に形成されるアンダーカット部の意匠面とは異なる面が非意匠面構成層と積層されておらず露出した状態となっている。そこで、非意匠面構成層から意匠面構成層が露出している部分を覆うカバーを設けることにより、かかる部分が掩蔽され、補強された成形品が提供される。
【発明の効果】
【０００８】
請求項１の発明によれば、非意匠面を含む非意匠面構成層を成形するための非意匠面構成層成形型と、非意匠面構成層に意匠面を含む意匠面構成層を積層成形するための意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えており、共通成形型は、非意匠面構成層成形型により成形された非意匠面構成層を保持して非意匠面構成層成形型から取り出し意匠面構成層成形型に収容し得るよう構成されており、非意匠面構成層成形型は、非意匠面構成層を、成形品のアンダーカット部以外の形状と対応した形状に成形するよう構成されており、意匠面構成層成形型は、意匠面の外形形状を全面にわたって成形するよう構成されており、スライドコアは、意匠面構成層成形型に向かって突出して意匠面構成層にアンダーカット部を形成するよう構成されているという簡単な構成により、アンダーカット部を有しており非意匠面と意匠面とが形成された成形品を適切に成形することが可能な成形型を提供することができる。
請求項２の発明によれば、非意匠面を含む非意匠面構成層を成形するための非意匠面構成層成形型と、非意匠面構成層に意匠面を含む意匠面構成層を積層成形するための意匠面構成層成形型と、非意匠面構成層成形型および意匠面構成層成形型と相対的に開閉可能に設けられた共通成形型と、共通成形型のアンダーカット部と対応する位置に型開閉方向と異なる方向に進退移動可能に設けられたスライドコアと、を備えてなる成形型を用意し，
非意匠面構成層成形型と共通成形型とを相対的に型閉じして、成形品のアンダーカット部以外の形状と対応した形状の非意匠面構成層を成形し、非意匠面構成層を共通成形型に保持した状態で、共通成形型を非意匠面構成層成形型に対して相対的に型開きし、非意匠面構成層を保持した状態の共通成形型を意匠面構成層成形型に対して相対的に型閉じし、意匠面構成層ののアンダーカット部と対応する位置にスライドコアを突出させて、アンダーカット部が形成された意匠面構成層を非意匠面構成層に積層成形するという簡単な構成により、アンダーカット部を有しており非意匠面と意匠面とが形成された成形品を適切に成形することが可能な成形方法を提供することができる。
請求項３の発明によれば、非意匠面構成層は、成形品のアンダーカット部以外の形状と対応する形状に成形されており、意匠面構成層のみにアンダーカット部が成形されているという簡単な構成により、アンダーカット部を有しており非意匠面構成層と意匠面構成層とを容易に且つ適切に積層成形してなる構造の成形品を提供することができる。
請求項４の発明によれば、請求項３の発明において、非意匠面構成層から意匠面構成層が露出している部分を覆うカバーを設けたことにより、強度が優れた構造の成形品を提供することができる。
【発明を実施するための最良の形態】
【０００９】
最初に、本発明の成形型の実施の一形態を図１〜図８に基づいて詳細に説明する。なお、異なる実施の形態において、同様の部分または相当する部分については同一符号を付してその説明を省略する。
本発明の成形型２は、概略、アンダーカット部１ａを有しており非意匠面Ｆ１と意匠面Ｆ２とが形成された成形品１を成形するもので、非意匠面Ｆ１を含む非意匠面構成層１１を成形するための非意匠面構成層成形型としての第１固定型２１と、非意匠面構成層１１に意匠面Ｆ２を含む意匠面構成層１２を積層成形するための意匠面構成層成形型としての第２固定型２２と、第１固定型２１および第２固定型２２と相対的に開閉可能に設けられた共通成形型としての可動型２３と、可動型２３のアンダーカット部１ａと対応する位置に型開閉方向と異なる方向に進退移動可能に設けられたスライドコア２４と、を備えている。そして、本発明の成形型２の可動型２３は、第１固定型２１とにより成形された非意匠面構成層１１を保持して第１固定型２１から取り出して第２固定型２２に収容し得るよう構成されており、第１固定型２１は、非意匠面構成層１１を、成形品１のアンダーカット部１ａ以外の部分の形状と対応した形状に成形するよう構成されており、第２固定型２２は、意匠面Ｆ２の外形形状を全面にわたって成形するよう構成されており、スライドコア２３は、第２固定型２２に向かって突出して意匠面構成層１２にアンダーカット部１ａを形成するよう構成されている。
なお、この実施の形態においては、成形品１は、その断面が屈曲したパネル状のものであり、意匠面Ｆ２が図１の上方位置の上向き面から左方位置の左側面にわたる面であり、非意匠面Ｆ１が図１の上方位置の下向き面から左方位置の右側面にわたる面であり、アンダーカット部１ａは下方端に形成される場合により説明する。
【００１０】
図１に示すように、成形型２は、図の左方であって上下方向に並べて固定盤に取付けられた第１固定型２１および第２固定型２２と、図の右方に配置されて可動盤に取付けられた可動型２３と、この可動型２３に設けられたスライドコア２４と、を備えている。第１固定型２１および第２固定型２２に対する可動型２３の型開閉方向は、図１に矢印Ｘ１、Ｘ２で示すように垂直方向となっている。また、可動型２３は、図１に矢印Ｙで示すように、第１固定型２１に対向する位置と、第２固定型２２に対向する位置との間で移動可能に設けられている。
第１固定型２１と可動型２３により形成されるキャビティ３１で非意匠面構成層１１が成形される。非意匠面Ｆ１は、可動型２３よって成形される。
また、第２固定型２２と可動型２３およびスライドコア２４により形成されるキャビティ３２で、その内部に収容された非意匠面構成層１１に意匠面構成層１２が積層成形される。意匠面Ｆ２は、その全面が第２固定型２２によって成形される。
【００１１】
第１固定型には、射出装置４から非意匠面構成層を構成する成形材料として、例えば熱可塑性樹脂をキャビティ３１内に射出充填するための導入路２１ａが形成されている。第１固定型２１に可動型２３を型閉じすることにより形成されるキャビティ３１は、成形品１のアンダーカット部１ａを除いたそれ以外の部分の形状と対応する形状に非意匠面構成層１１を成形するよう構成されている。すなわち、非意匠面構成層１１は、アンダーカット部１ａとなる部分が形成されることなく、後述するように、可動型２３に保持されて第１固定型２１から型開きするときにかかる第１固定型２１に干渉することがなく、且つ、可動型２３に保持されて第２固定型２２と型閉じするときにかかる第２固定型２２に干渉することがないような形状に成形される。したがって、第１固定型２１には、可動型２３の型開閉時に干渉を回避する目的で従来の技術のようにスライドコアを設ける必要はない。
【００１２】
第２固定型２２は、可動型２３に保持された非意匠面構成層１１との間でキャビティ３２を形成して、所定の形状の意匠面構成層１２を非意匠面構成層１１に積層成形してアンダーカット部１ａを含む成形品１の意匠面Ｆ２を全面にわたって成形することができる形状を有するもので、アンダーカット部成形部分２２ａを備えており、一体に成形されている。なお、意匠面構成層１２の成形材料によっては、第１固定型の導入路２１ａと同様に、導入路が設けられる。
【００１３】
可動型２３は、非意匠面Ｆ１の形状に応じて成形されたもので、第１固定型２１から型開きしたときに、成形された非意匠面構成層１１が第１固定型２１から離型して、その固化による収縮などによって保持されるように抜き勾配などが設定され、構成されている。
可動型２３のアンダーカット部１ａと対応する部分には、スライドコア２４が設けられている。このスライドコア２４は、後述するように、第２固定型２２のアンダーカット部成形部分２２ａと協働して、意匠面構成層１２にほぼ均一な厚さでアンダーカット部１ａを形成させるもので、例えば油圧シリンダなどのアクチュエータ２５により、任意のタイミングで進退移動される。また、本発明でいうスライドコア２４とは、型開閉方向とほぼ直行する方向に移動されるものだけでなく、所定の角度の方向に移動されるものなど、型開閉方向と異なる方向に移動されるものをいう。
【００１４】
次に、本発明の成形品の成形方法の実施の一形態を、上述したように構成された成形型２を用いる場合により、図１〜図７に基づいて詳細に説明する。
本発明の成形品成形方法は、概略、アンダーカット部１ａを有しており非意匠面Ｆ１と意匠面Ｆ２とが形成された成形品１を成形するもので、非意匠面Ｆ１を含む非意匠面構成層１１を成形するための非意匠面構成層成形型としての第１固定型２１と、意匠面Ｆ２を含む意匠面構成層１２を非意匠面構成層に積層成形するための意匠面構成層成形型としての第２固定型２２と、第１固定型２１および第２固定型２２と相対的に開閉可能に設けられた共通成形型としての可動型２３と、可動型２３のアンダーカット部１ａと対応する位置に型開閉方向と異なる方向に進退移動可能に設けられたスライドコア２４と、を備えてなる成形型２を用意し、第１固定型２１と可動型２３を相対的に近接移動させ型閉じしてキャビティ３１を形成し、成形品１のアンダーカット部１ａ以外の部分の形状と対応した形状の非意匠面構成層１１を成形し、非意匠面構成層１１を保持した状態で可動型２３を第１固定型２１に対して相対的に型開きし、非意匠面構成層１１を保持した状態の可動型２３を第２固定型２２に対して相対的に型閉じし、意匠面構成層１２のアンダーカット部１ａと対応する位置にスライドコア２４を突出させて、アンダーカット部１ａが形成された意匠面構成層１２を非意匠面構成層１１に積層成形するものである。
【００１５】
成形品１を成形するに際しては、図１に示すように、最初に第１固定型２１に対して可動型２３を近接駆動して型閉じし、所定の型締め力で保持し、成形型２の内部に成形しようとする非意匠面構成層１１の形状と対応するキャビティ３１を形成する。非意匠面構成層１１の形状は、成形品１のアンダーカット部１ａとなる部分を除く部分と対応するよう設定されている。したがって、この状態でキャビティ３１内に例えば熱可塑性樹脂材料など、成形材料を射出装置４から導入路２１ａを介して射出充填すると、アンダーカット部を有しない非意匠面構成層１１が成形されることとなる。
【００１６】
非意匠面構成層１１の成形が完了すると、図１に矢印Ｘ１で示したように、第１固定型２１から可動型２３を相対的に離間移動させて型開きする。成形された非意匠面構成層１１は、アンダーカット部を有していないために第１固定型２１に干渉することなく、可動型２３に保持されて第１固定型２１から離型される。次いで、図１に矢印Ｙで示したように、可動型２３を第１固定型２１と対向する位置から第２固定型に対向する位置に相対的に移動させて、図１に矢印Ｘ２で示したように、可動型２３を第２固定型２２に近接移動させて型閉じを行う。可動型２３に保持された非意匠面構成層１１はアンダーカット部を有していないために第２固定型２２に干渉することなく、第２固定型２２に収容されて、キャビティ３２を構成する。
【００１７】
図２に示すように、可動型２３を第２固定型２２に対して型閉じした後に、図３に示すように、可動型２３のスライドコア２４をキャビティ３２のアンダーカット部成形部分３２ａに突出させて、図４に示すように、例えば発泡樹脂材料など意匠面構成層１２の成形材料をキャビティ３２内に供給し、図５に示すように、意匠面Ｆ２に表皮１２ａが形成されると共に成形材料を発泡させて発泡層１２ｂが形成された意匠面構成層１２を成形する。その結果、スライドコア２４によって意匠面構成層１２の非意匠面構成層１１と対応しない部分、すなわち重ならない部分が屈曲するように成形されてアンダーカット部１ａが形成される。そして、意匠面構成層１２は、非意匠面構成層１１と重なる部分と重ならないアンダーカット部１ａとがほぼ均一な厚さで成形されることとなるため、意匠面構成層１２は、その全体にわたって温度変化もほぼ均一の状態で成形されることとなる。なお、このときには、意匠面構成層１２の発泡による圧力を逃がすため、第２固体型２２に対する可動型２３のわずかな型開きが許容される。意匠面Ｆ２を構成する表皮１２ａは、その全面にわたって一体成形された第２固定型２２によって成形されるため、パーティングラインが形成されることはない。なお、意匠面構成層１２の成形材料によっては、可動型２３を第２固定型２２に対して型閉じする前に、第２固定型２２のキャビティ面に意匠面構成層１２の成形材料を付着させるなどしてもよい。
【００１８】
意匠面構成層１２が非意匠面構成層１１に積層成形されて成形品１の成形が完了すると、図６に示すように、スライドコア２４を後退移動させて退避させた状態とし、その後、図７に示すように、可動型２３を第２固定型２２から離間移動させて型開きする。成形品１は、アンダーカット部１ａを有しているために、可動型２３から離型し、第２固定型２２に残ることとなる。そして、成形品１は、図８に示すように、アンダーカット部１ａを中心として回転させるように離型させることにより、第２固定型２２から取り出すことが可能となる。
【００１９】
次に、本発明の成形品を上述した成形型１および成形方法を適用して積層されたものである場合により詳細に説明する。
本発明の成形品１は、概略、アンダーカット部１ａを有しており非意匠面構成層１１と意匠面構成層１２とを積層成形してなるもので、非意匠面構成層１１は、成形品１のアンダーカット部１ａを除くそれ以外の形状と対応する形状に成形されており、意匠面構成層１２のみにアンダーカット部１ａが成形されている。さらに、本発明の成形品１は、意匠面構成層１２の非意匠面構成層１１と重なることなく非意匠面構成層１１から露出している部分を覆うカバー５が設けられている。
【００２０】
成形品１は、非意匠面構成層１１がアンダーカット部となる部分を有しておらず、意匠面構成層１２の非意匠面構成層１１と重ならない部分のみにアンダーカット部１ａが形成されていることから、その成形のための成形型１もその成形型１の型閉じ・型開きを伴う成形方法も構成が簡単となる。そして、成形品１のアンダーカット部１ａが形成される部分は、意匠面構成層１２のみによって構成されているため、必要がある場合には、図９に示すように、意匠面構成層１２が非意匠面構成層１１から露出している部分を覆ってかかる部分を掩蔽したり補強するなど、別部材５を接着することもできる。
なお、本発明は、非意匠面構成層１１に意匠面構成層１２を積層成形する場合に限定されることはなく、両構成層１１、１２の間に他の構成層を成形する場合など、３層以上の多層成形に適用することもできる。
【図面の簡単な説明】
【００２１】
【図１】本発明の成形型の実施の一形態における構成全体を概略で示す断面図である。
【図２】非意匠面構成層を保持した可動型が第２固定型に対して型閉じした状態を示す部分拡大断面図である。
【図３】図２の状態から、スライドコアを突き出してキャビティを形成した状態を説明するために示した部分拡大断面図である。
【図４】図３の状態から、キャビティ内に意匠面構成層の成形材料を供給した状態を示した部分拡大図である。
【図５】図４の状態から、意匠面構成層の成形材料を発泡させて表皮と発泡層を形成した状態を説明するために示した部分拡大断面図である。
【図６】図５の状態から、可動型のスライドコアを後退退避させた状態を示す部分拡大断面図である。
【図７】図６の状態から、可動型を第２固定型から離間移動させて型開きした状態示す部分拡大断面図である。
【図８】成形された成形品を第２固定型から取出し状態を説明するために示した部分拡大断面図である。
【図９】アンダーカット部が形成される部分の、意匠面構成層が非意匠面構成層から露出している部分を別部材によって覆って接着した状態を説明するために示した部分拡大断面図である。
【符号の説明】
【００２２】
１：成形品、  １ａ：アンダーカット部、  Ｆ１：非意匠面、Ｆ２：意匠面、  ２：成形型、  ３：キャビテイ、  ５：カバー、  １１：非意匠面構成層、  １２：意匠面構成層、  ２１、第１固定型（非意匠面構成層成形型）、  ２２：第２固定型（意匠面構成層成形型）、  ２３：可動型（共通成形型）、  ２４：スライドコア、
【図１】
2006116777.tif 000003
【図２】
2006116777.tif 000004
【図３】
2006116777.tif 000005
【図４】
2006116777.tif 000006
【図５】
2006116777.tif 000007
【図６】
2006116777.tif 000008
【図７】
2006116777.tif 000009
【図８】
2006116777.tif 000010
【図９】
2006116777.tif 000011